Podtech/llm-jp-corpus-v4-ja_patent huggingface dataset:
(57)【要約】      （修正有）【課題】卵の黄身を中央の穴に入れることによって、ハムの中心に卵が乗り、キレイにハムエッグが出来るハムカッターを提供する。【解決手段】ハムに抜型を押し付け、穴１と切込み２をつけ、穴のハムは取り除き、ハムの上に卵をそっと割り落として焼く。【選択図】図１
2014168636.tif 000002
【特許請求の範囲】
【請求項１】
ハムに穴と切込みを同時に作る事ができる、抜型。
【発明の詳細な説明】
【技術分野】
【０００１】  本発明は、ハムに穴と切込みを同時に作ることが出来る、抜型である。
【背景技術】
【０００２】  ハムエッグを作る際、ハムの上に卵を割り落として焼く事が一般的である。
【発明の概要】
【発明が解決しようとする課題】
【０００３】  従来のハムエッグは次のような欠点があった。
ハムの上に卵を割り落とすと、ハムから滑るように卵がずれて、出来上がりの見栄えが良くない事があった。また、一度に複数同時にハムエッグを作る際、隣同士の白身やハムがくっついてしまい、取り分けが大変な場合もあった。
本発明は、これらの問題を解決するためになされたものである。
【課題を解決するための手段】
【０００４】  ハムの中央部に（１）穴と、（２）側面に切込みを作り、その上に卵を割り落とし、ハムエッグを作る。
【発明の効果】
【０００５】  本発明を使用することによって、ハムの中央の穴に黄身が収まり、ハムの上に卵が乗るのでキレイなハムエッグを作ることが出来る。卵が広がりにくい為、一度に複数のハムエッグが作りやすく、取り分けがしやすい。また、切込みにも白身が入り、一体化するのでハムと白身を同時に食べる事ができ、食べやすくなる。
【図面の簡単な説明】
【０００６】
【図１】  本発明の使用図である。
【発明を実施するための形態】
【０００７】  以下、本発明の実施の形態を説明する。
ハムより一回り大きなサイズで、（３）中心部に丸い刃、ハムがばらばらにならない様に、穴の周りはカットできないよう（４）溝を作り、溝から側面に向けて切込みが入るよう（５）放射線状に刃を設けた抜型である。
【符号の説明】
【０００８】  １  ハムの穴
２  ハムの切込み
３  中央部の丸い刃
４  溝
５  放射線状の刃
【図１】
2014168636.tif 000003
(57)【要約】      （修正有）【課題】従来型の仏壇は構造上内部は昔も今日も暗い、幼少期には近づき難い家具の一つであったりした。仏や祖先の家であり、それ等仏や祖先は高貴なための壮厳が何故暗くなくてはいけないのか理解如難いが、人によっては蛍光灯を設ける方もあり、暗いがための方途が求められている。【解決手段】仏壇の素材に木材と透明樹脂板を用いて、透明採光型の構造とし従来型の仏壇内部に用いられる各柱や彫刻等を極力はぶき、又壮厳具や吊具も極力はぶいて、仏壇から離れていても内部がよく見え、本尊や位牌に迄充分な外光が届くようにし、更にそれ等仏像や位牌には耐震装置を設こし、更に供養の為の各仏具にも耐震を設こし、居所を同一にする居間にあっても安全を第一に考えられた安心と、仏、祖先と暮らす理想の仏壇を提供する。【選択図】図１
2014168640.tif 000002
【特許請求の範囲】
【請求項１】
仏壇の四方（前方及び左、右両方及び天囲）を全透視可能な素材を用いて造り照明器具を排し、採光の防げになる装飾を極力排して仏壇内部に外界の光を取り入れ、御仏（仏像）や祖先の位牌に充分な光を届け、それ等仏像や位牌には特殊な耐震装置を設し、その他の供養に用いる仏具にも耐震加工を設して総耐震とし、透視素材で常時外採光の入る仏壇内部は離れていても常に状況が確認できる安全性と御仏や祖先と共に生活しているという安心感が得られ、信仰の増幅にも働く、「透視採光型耐震仏壇」
【発明の詳細な説明】
【技術分野】
【０００１】本発明は新分野の仏壇に関する。
【背景技術】
【０００２】従来型も現代型も仏壇の形はその製法を守り意義を整えている。故により壮厳に造られ、飾られ素材を選び技術を極めて高価となる。現代型仏壇は従来型に比して極力装飾を取り払い、柱類等も取り払って、簡素なスッキリ型で手入れしやすくモダンな形に変わった。住宅事情に合わせて色調も明るくなった。
【発明が解決しようとする課題】
【０００３】従来型の仏壇内部は昔も今日も実に暗い、幼少期には怖くて仏壇内を見れなかったという人もいる程で、仏や祖先が壮厳なために暗く近づき難くするのか理解し難い。人によっては蛍光灯迄取り付ける次第で、仏の家、先祖の家であることは知られていることである。“故人（家族が亡くなる）が寂しがるから”と居間に仏壇を置く家庭が増えている。現代仏壇に限らず明かるい色調が好まれる昨今は、怖くない仏壇が求められている。仏様や先祖様と一緒に生活しているという情感が求められている。
【課題を解決するための手段】
【０００４】仏壇の素材に木材と透明樹脂板を用いて、“仏壇といえば箱型”のイメージとは完全に違えたアーチ型、円筒型、流れ型等の自在な造形で、四方（前方及び左、右両方及び天井）から仏壇内部が離れていても全てが見えて、更に仏像、位牌のみならず供養のための仏具全てに耐震装置を設した今迄とはまったく違った感覚の仏壇であり洋風建築に似た外観と従来型仏壇との調和は仏壇下台（１）部及び祭段部はフラッシュ加工にして須弥壇（２−３）部もすべてフラッシュ加工にしてそれぞれ仏像、位牌共耐震装置を設こし、背面には間仕切り加工の背板（５）が建て込まれ、この仏壇外壁となる樹脂透明板（６）を支持し背板止め釘（７）で個定されている。
供養に供する仏具類はフラッシュ中段（２−２）には、供物台や供花器及び仏飯器、献茶器等の耐震のための穴がフラッシュ段上面板に加工され、そのフラッシュ内部には水受けのための花びん敷や穴の中に落し込んだ仏具が、出し入れに要するゆとり以上にずれないよう仕切板や円筒形の筒を押えとして用いている。
フラッシュ下段（２−１）にはローソク立てや香炉、線立やマッチ消し、鈴等の耐震のための穴がフラッシュ段上面板に設けられ、それぞれの落し込んだ穴の底には仏具用の敷物をそれぞれ用いてある。そして朝夕常時使用する経本や念珠等は仏壇下台（１）部に内蔵された前引き板（１０）を引いて置いて使用する。
仏具の耐震が不要の場合は、フラッシュ段敷板（１１）をそれぞれフラッシュ段上面に乗せるだけで従来型の祭段となり、必要に応じて両面テープで固定しても良い。
【０００５】フラッシュ段の上面に固設されたフラッシュ須弥壇（２−３）に取り付けられる、仏像及び位牌のための耐震装置は弾力のある樹脂管で加工した耐震筒（１４）をフラッシュ須弥壇（２−３）上面板中央部両脇に設けられた挿入穴より底板に建ち上げて天井樹脂板迄届く長さで用い、その耐震筒（１４）の中には耐震爪（１６）を固設した耐震爪案内棒（１５）が内蔵され、その耐震爪が上・下に稼働する間、耐震筒の中腹が開口されており、耐震爪を固設し同時に上・下に動く耐震爪案内棒はその最下部でスプリング（１７）をスプリング止め釘（１８）で固設し、更にそのスプリングの対局の端は耐震筒最下部入口部に嵌設したスプリング押さえ棒（１９）に固設されていて耐震爪案内棒は応分の強さで下方に引かれ耐震爪が仏像、位牌の台座を押さえ込み耐震に働くしくみで、左、右両脇に用いる。
又、本位牌（１３）のように台座に内足が伸びている場合の耐震はフラッシュ須弥壇上面に設けられた挿入穴の上・下に亘るスプリング（２２）を固定するためのスプリングステージ（２０）と位牌を押さえるためのスプリングステージ位牌押さえ弁（２１）が位牌台座の内足伸び部に働き応分の強さで押さえて耐震となる。
【図面の簡単な説明】
【０００６】
【図１】斜視図
【図２】段敷板図
【図３】仏像位牌耐震装置図
【符号の説明】
【０００７】１．      仏壇下台
２．−１  フラッシュ下段
２．−２．フラッシュ中段
２．−３．フラッシュ須弥壇
３．      仏台
４．      仏具落し穴
５．      背板
６．      樹脂透明板
７．      背板止め釘
８．      掛軸吊板
９．      樹脂板止めビス
１０．    前引き板
１１．    フラッシュ段敷板
１２．    耐震筒落し穴
１３．    位牌
１４．    耐震筒
１５．    耐震瓜案内棒
１６．    耐震瓜
１７．    スプリング
１８．    スプリング止め釘
１９．    スプリング押さえ棒
２０．    スプリングステージ
２１．    スプリングステージ位牌押さえ弁
２２．    スプリング
２３．    フラッシュ須弥壇
２４．    仏像
【発明を実施するための形能】
【０００８】本発明の「透祖採光型耐震仏壇」は目の不自由な方や身体（特に手、腕等）の不自由な方等には特に便利で、高齢で一人住いの方や仏壇は有る方でペット用に別に設けたいという等にも対応できるよう壇上に敷板を設けて、変形の飾り方にも対応してある。
【実施例】
【０００９】耐震の場合の使い方で仏具の並べ方（置き場所）がわかりやすく始めて仏壇を使う方に親切であり、又電装が必要ない点（全採光）もあり経済的であり、居間に置いても不自然に感じないデザインでであるとの評価をいただいた。
又、内部の透視が離れていても大事な物の上げ忘れや、供物の腐蝕や生花等の立ち枯れ等良く見えて忙がしい毎日に助かる。
【図１】
2014168640.tif 000003
【図２】
2014168640.tif 000004
【図３】
2014168640.tif 000005
(57)【要約】      （修正有）【課題】煮込み中に於ける調理体の損傷や、鍋釜等の底部に生じるこげ付、煮あがり盛り付け時鍋釜等から取り出し時に起きる荷くずれ等々を防ぎ理想の煮上がり、盛り付けを享受できる鍋釜内多段層区分け装置を提供する。【解決手段】調理に使う鍋１の中を金網５で輪切り状に仕切る構成で、鍋の上面円周より、ステンレス板で加工した各種網掛板２を必要量垂らし、その網掛板に設された金網掛台に金網をセットし、その上に調理体を並べる方法で、使用する鍋釜等の深さや、調理体の量により段数を設けて、各段同様にセッテングして調理する。【選択図】図１
2014168639.tif 000002
【特許請求の範囲】
【請求項１】
鍋釜等で同一汁での物の煮分けや、煮姿の損傷を嫌う「姿煮」を一度に多量煮するための装置で、鍋釜等の上渕口より内中に金網受爪板を繋ぎ下げ、上渕口円周を等分して必要量繋ぎ下げて、その金網受爪板の下段より金網を設置し調理体を乗せ、多段使用で調理可能で、広口の鍋釜等の金網のたるみには荷重を支える網台を設ける。この装置は上渕口よりの組み立てと底辺からの組み立てが可能で鍋釜等の蓋付、蓋なし両用での使用可能な「鍋釜内多段層区分け装置」
【発明の詳細な説明】
【技術分野】
【０００１】  本発明は鍋釜等内部の多層輪仕切り、平面区切り方の一方法に関する。
【背景技術】
【０００２】  鍋釜の中段を設けた仕切りにふかし鍋釜がある。【０００３】  同一煮汁で縦仕切りの調理鍋におでん鍋がある。
【発明が解決しようとする課題】
【０００４】魚の姿煮を例に取れば少人数の家族の場合は大ぶりの鍋で鍋底のこげ具合を心配しながら火勢を調整しつつ調理できるが、その魚がカレイの子持ちとか金目鯛等大ぶりの魚になると、普通家庭には大鍋が４５ｃｍ位迄がせいぜいである。
家族が多くなれば大魚の一度での調理は難しい。更に鍋底のこげ付きの心配から大魚の返し煮（裏返し）が厳しく調理が敬遠されがちとなる。
業務用となると更に多くの人数となる。
【課題を解決するための手段】
【０００５】同一煮汁を用いて鍋釜等で煮分けする場合、縦割仕切りは広く用いられているが鍋釜等の中を輪仕切り（平面仕切り）で多段に仕切る場合の一方法として、その鍋釜等の上面周口渕より、ステンレス板（針金でも可）で加工した網掛板吊渕掛板（２）をその上面口円周を調理体を勘案しながら区分し設置場所を決めて、その網掛板吊渕掛板（２）の上辺を掛けようとする鍋釜等の上面口渕の形状に合わせて折り曲げ、区分し決められた個所にそれぞれ設置する。
その網掛板吊渕掛板（２）の下辺には次に吊るす網掛板（３）のための吊ボッチ（９）が加工されており、又、網掛板（３）の上辺には掛吊りするための掛吊穴（７）が加工されており、その穴は吊用のためと置掛用のための両用の掛穴加工が設されており、そのまま網掛板吊渕掛板（２）の吊ボッチ（９）に順次掛けて吊り下げてゆく。鍋釜等の深さに応じて、網掛板（３）を２段、３段と掛け繋げるように網掛板（３）はその上辺に掛吊穴（７）、その中央辺に金網掛台（８）が加工されその下辺には吊りボッチ（９）が設されており、それ等は全て同一寸法となっており（場合によって別寸法の網掛板を折り混ぜることも可能）鍋釜等の底辺に届く手前で底網掛板（４）の距離を残して網吊板（３）の設置を続け、最終の底網掛板（４）を掛け吊りの時に、底網掛板（４）は鍋釜等の底の形状に合わせた折り曲げが必要で、先ず一枚を形状取りし他の板を同形に曲げてからの設置がよい。
【０００６】一連の網掛板（３）のセッテング終了の次は金網（５）をはめ込むが、その前に鍋釜等の底部（最下段設置の金網の下）を使用するか否かにより手順として底部へのセットが先で例えば「だし元」に使用するとして混布を敷くとか…底部の活用を終えてから金網（５）をセットする。
使用する鍋釜が広口で用意された調理体の重さにより金網がたるみそうな場合は金網下に網台（６）を必要量用いて荷重に対応できる。それは各段でも使用可能であり調理中にズレないよう網目刻みが上、下に設してある。
【０００７】多量の調理体であったり、早煮をする場合は煮汁送管装置（先願２０１１−２９０６３０）を使用することができる。その場合金網（５）に送管を通すための穴を設けるか専用の金網を設けることになる。
又、金網（５）のたるみに用いる網台（６）は、それのみ単独で多段層を築くことができる。しかしその分調理体に使用する金網部分が狹くなり、その分余計に多層となる。早煮にしても又、そうでなくても調理体の煮返し（裏返し）の必要はなく鍋釜等の蓋をして煮上がりを待つだけとなる。
【発明の効果】
【０００８】鍋釜等の中に於いて組みたてる「鍋釜内多段層区分け装置」の組みたて方に吊組みとは別に底部から組みながら使用できることから、完全蓋閉じ型の鍋釜等にも使用可能で、調理体の厚薄に合わせて網掛板にも多段の工夫が必要であり、広く用途が開けた、煮物の形をくずさない量産の道具となった。
取り皿への盛付も易くなった。
【発明を実施するための形態】
【０００９】各家庭や職場で使用中の鍋釜等に用いるもので容易に調理ができる。調理体が同一でない場合の上、下段の区分けは、調理中の鍋釜内の上部と底部の温度差で決まる。
【実施例】
【００１０】家族６人分の姿煮が一度の煮炊きで出来上がった。実に形の整った損傷のない出来映えである。少々手間暇がかかるが、２０ｃｍ以上の魚を６枚並べるには４５ｃｍ鍋を用いても魚が重なる。しかも鍋底のこげ付きの心配もなく返し（裏返し）の心配もいらないのは大収穫である。１枚、１枚、取り皿に取り易い。
煮汁が約２．５倍を要するが容器に入れて取り置く。
何時も大鍋で重なっても煮てしまうと一枚、一枚取り皿に取るのが大変で極端な神経を使う、６枚の魚が完全な形で盛り付けられた。
【図面の簡単な説明】
【００１１】
【図１】取付斜視図、
【図２】単品器具図、
【符号の説明】
【００１２】１．鍋、                    この器具をセット中の鍋、
２．網掛板吊渕掛板          鍋上面口に吊り曲げて掛ける板、
３．網掛板、                中間に接続し金網掛台を有する板、
４．底網掛板、              吊板の最終板で底部で曲げ足の板、
５．金網、                  調理体を乗せる網、
６．網台、                  網の中だるみを支える台、
７．掛吊穴、                各板に設された次の板をつなぐための穴、
８．金網掛台、              各板に設された金網を掛けるためのカギ手、
９．吊りボッチ、            各板に設された次の板をつなぐためのボッチ、
【図１】
2014168639.tif 000003
【図２】
2014168639.tif 000004
(57)【要約】【課題】  片手でフライパンの持ち手を持ち、フライパンを傾け、置いたお皿に直接移す際に、調理物がこぼれることを防止することができるフライパン用補助具を提供することを目的とする。【解決手段】本発明のフライパン用補助具１は、フライパン１０の側壁１１に沿って取り付けられ、調理物を案内する案内板２と、案内板２をフライパン１０に着脱自在に取り付けるための取り付け部材３とを有する。【選択図】図２
2014168599.tif 000002
【特許請求の範囲】
【請求項１】
フライパンの側壁に沿って取り付けられ、調理物を案内する案内板と、案内板をフライパンに着脱自在に取り付けるための取り付け部材とを有することを特徴とするフライパン用補助具。
【発明の詳細な説明】
【技術分野】
【０００１】
本発明は、フライパンに装着して使用することで、フライパンからお皿等に移す調理物がこぼれないようになるフライパン用補助具に関する。
【背景技術】
【０００２】
従来、家庭、料理店等において、飯、肉、野菜等の各種の食材を加熱調理するための調理器具の一つとして、フライパンが使用されている。従来のフライパンは、円形のものが一般的である。
【０００３】
従来の円形のフライパンで、フライ返しや菜箸を使ってチャーハン等の細かい材料による料理を調理してそれをお皿に移す際に、片手でフライパンの持ち手を持ち、フライパンを傾け、置いたお皿に直接せると楽である。その際に、円形のフライパンだと、端の方の料理がお皿に移動されずにこぼれてしまうことがある。
【０００４】
ここで、調理物が上述したようにこぼれることを防止するためのフライパンとして、特許文献１に開示されたようなフライパンがある。このフライパンは、フライパンの側壁の縁から突設されたフランジを有し、前記フランジを、平坦面のあるフランジと、平坦面のないフランジとで構成させ、前記平坦面のないフランジは、外周縁が円形又は楕円形のフランジの一部に形成され、且つ、前記側壁の縁から前記フランジの上面の端に向かって幅を狭くすることにより、前記フランジの上面の端には平坦面のない円弧域を形成することにより、前記フランジに調理物排出口を形成したものである。
【先行技術文献】
【特許文献】
【０００５】
【特許文献１】特許第４９７９７６４号公報
【発明の概要】
【発明が解決しようとする課題】
【０００６】
しかしながら、上述のフライパンは、特殊な形状の専用フライパンである。その上、調理物排出口があくまでも円弧状なので、手でフライパンの持ち手を持ち、フライパンを傾け、置いたお皿に直接移そうとした際に、平坦なフランジから調理物がこぼれてしまう可能性もあり、また調理物を注ぎ出す際にこぼさずに移せるか、感覚的に不安に感じるものであった。
【０００７】
本発明は、上記課題を解決するためになられたものであり、手でフライパンの持ち手を持ち、フライパンを傾け、置いたお皿に直接移す際に、調理物がこぼれることを防止することができるフライパン用補助具を提供することを目的とする。
【課題を解決するための手段】
【０００８】
本発明のフライパン用補助具は、フライパンの側壁に沿って取り付けられ、調理物を案内する案内板と、案内板をフライパンに着脱自在に取り付けるための取り付け部材とを有することを特徴とする。
【発明の効果】
【０００９】
本発明のフライパン用補助具によれば、片手でフライパンの持ち手を持ち、フライパンを傾け、置いたお皿に直接移す際に、フライパンの側壁に沿って取り付けられた案内板により調理物が誘導されることから、調理物がこぼれることを防止することができる。さらに、任意の大きさの一般的なフライパンに取り付けることができることから、汎用性が高い。
【図面の簡単な説明】
【００１０】
【図１】本実施形態のフライパン用補助器具の概略図である。
【図２】本実施形態のフライパン用補助具の、フライパンへ装着例を説明する図である。
【図３】図３は、本実施形態のフライパン補助具を、フライパンに装着したときの使用例を説明する図である。
【発明を実施するための形態】
【００１１】
以下、本発明を詳細に説明する。
図１は、本実施形態のフライパン用補助具の概略図である。
図１に示されるように、本実施形態のフライパン用補助具１は、フライパンの側壁に沿って取り付けられる方形の案内面２ａを有する案内板２と、方形の一辺の両端部に設けられた、フライパンの側壁に挟む２つのピンチ３を有する。
ピンチ３は、案内板２の端部とフライパンの側壁とを挟むような機構を有すると共に、案内板２と接続する機構を有する。例えば、２つあるピンチ３の挟持部に案内部の端部が接着または一体的に成形された構造、ビンチ３の軸部付近に案内部が固定または接続される構造等が挙げられる。
尚、ピンチ３は、本発明の取り付け部材の一例である。
【００１２】
図２は、本実施形態のフライパン用補助具の、フライパンへ取り付け例を説明する図である。
図２に示されるように、フライパン用補助具１の案内板２は、フライパン１０の内壁に沿って取り付けられ、ピンチ３によって側壁１１に固定されている。尚、案内板２は、フライパンの外壁に沿って取り付けられてもよい。但し、フランジのあるフライパンに対しては、内壁に沿って装着する必要がある。案内板２は、方形におけるフライパンの円周方向の長さ（図１中ａ）は、最も一般的なフライパンのサイズ（２０〜２６ｃｍ程度）に対し、持ち手付近から、１８０°前後（１５０〜２００°程度）に亘って装着される長さを有することが好ましく、方形におけるフライパンを傾ける方向の長さ（図１中ｂ）は、５〜２０ｃｍ程度が好ましく、さらには８〜１５ｃｍ程度とすることが好ましい。
【００１３】
図３は、本実施形態のフライパン補助具を、フライパンに取り付けたときの使用例を説明する図である。
図３に示されるように、片手（不図示）でフライパン１０の持ち手１２を持ち、フライパン１０を傾けると、フライパン内部にある調理物は、傾けた方向にある案内板２に誘導され、調理物がお皿に移る。必要に応じてもう一方の手（不図示）で持った菜箸等で補助しながら、フライパンを傾けてもよい。
【００１４】
このように、本実施例によれば、片手でフライパンを傾けるのみで、案内板２に調理物が誘導されて調理物がこぼれることが防止することができる。さらに、本実施例のフライパン用補助具は、任意の大きさのフライパンに対して使用できることから、汎用性が高い。
【符号の説明】
【００１５】
１  フライパン用補助具
２  案内板
３  ピンチ（取り付け部材）
【図１】
2014168599.tif 000003
【図２】
2014168599.tif 000004
【図３】
2014168599.tif 000005
(57)【要約】【課題】  スプリットリングを素手で取り付け取り外ししようとすると、スプリットリングを落としたり飛ばして失くしたりして、隙間をあけることができなかった。また専用ラジヲペンチは高価なものである。  本発明は格安なスプリットリング着脱具を提供する。【解決手段】  本体の角を含めた周囲と辺を鋭角状にし、角周辺と辺に切り欠け部を設ける。各角と各辺の厚みを変える。角周辺と辺に切りかけ部を設ける。【選択図】図１
2014168452.tif 000002
【特許請求の範囲】
【請求項１】
（イ）扁平状の多角形からなる本体の各角部を先端が鋭角状にした差し込み片とし、
（ロ）差し込み片の両脇は凹状の切欠け部を設け、
（ハ）本体の各辺に凹状の切り欠け部を設け、
（ニ）角部（２ａ）に対して角部（２ｂ）は横断面が肉厚状であり角部（２ｃ）は角部（２）より横断面が肉厚状にできており、
（ホ）各辺は、縦断面が鋭角状に形成されている薄刃状に形成され、
（ヘ）辺（４ａ）に対し辺（４ｂ）は横断面が肉厚状であり、辺（４ｃ）は辺（４ｂ）より横断面が肉厚状に出来ている。
以上の構造からなるスプリットリング着脱具
【発明の詳細な説明】
【技術分野】
【０００１】  本発明は、釣り具のルアーと針とをつなげる為の、スプリットリングを取り付けたり取り外したりするときに使用する、スプリットリング着脱具に関するものである。
【背景技術】
【０００２】  従来、スプリットリングをルアーに付けたり、指でスプリットリングの重合部を広げたり針を押し当て力任せに取り付けていた。道具が存在するのは、専用のラジヲペンチでスプリットリングの重合部を広げ隙間をあける道具があった。
【発明が解決しようとする課題】
【０００３】  スプリットリングを素手で、取り付け取り外ししようとすると、スプリットリングを落とし失くしたり、飛んでいって失くしたり、隙間を広げられなかったり、なかなかとり外せず、また取り付けられなかった。専用のラジヲペンチは、値段が高い高価な道具がほとんどであった。
【課題を解決するための手段】
【０００４】  本体は扁平状からなる略三角形であり、各角を含めた角周囲と辺を鋭角状にする。角周辺や辺に切り欠け部を設ける。各角と各辺の厚みを変えることで各サイズのスプリットリングに対応する。以上な構成によるなるスプリットリング着脱具。
【発明の効果】
【０００５】  従来、スプリットリングを取り付け取り外しするには素手で取り付け取り外しするしかなかった。また、高価な専用ラジヲペンチを使用するしかなかったが、本発明は一枚の板状からなるので、安価であり、また手作業によらず、簡単にスプリットリングの重合部に隙間をあけ、取り付け取り外しができる。
【図面の簡単な説明】
【０００６】
【図１】本発明の斜視図
【図２】本発明の使用状態を示す斜視図
【図３】本発明の使用状態を示す拡大斜視図
【図４】本発明の使用状態を示す拡大側面図
【図５】本発明の使用状態を示す斜視図
【図６】本発明の使用状態を示す拡大側面図
【図７】発明の使用状態を示す斜視図
【発明を実施するための形態】
【０００７】  以下、本発明の実施の形態を説明する。
（イ）扁平状の略三角形からなる本体（１）の各角部を先端が鋭角状の差しこみ片（２）とする。
（ロ）差し込み片（２ａ２ｂ２ｃ）の両脇は凹状の切欠け部（３）を設ける。
（ハ）本体の各辺に凹状の切り欠け部（５）を設ける。
（ニ）角部（２ａ）に対して角部（２ｂ）は横断面が肉厚状であり、角部（２ｃ）は角部（２ｂ）より横断面が肉厚状にできている。
（ホ）本体は略三角形にとどまらず多角形の形状にすることができる。
（ヘ）各辺（４ａ４ｂ４ｃ）は、縦断面が鋭角状に形成されている先端方向へ向けて薄刃状に形成される。
（ト）辺（４ａ）に、対し辺（４ｂ）は横断面が肉厚状であり、辺（４ｃ）は、辺（４ｂ）より横断面が肉厚状に出来ている。
本発明は、以上のような構成である。
本発明を使用するときは、差し込み片（２ａ２ｂ２ｃ）をスプリットリング（９）の重合部に、差し込み、隙間（６）を作る。この隙間（６）からスプリットリングの端（７）から針やルアーのアイ（８）に通す、切り欠け部（３、５）にスプリットリングの端（７）がくるようにすると、アイ（８）が、本体（７）に干渉せず通しやすい。
【符号の説明】
【０００８】  １本体、２差し込み片、３．切りかけ部、４辺、５，切りかけ部、６隙間、７スプリットリングの端、８アイ、９スプリットリング、１０針
【図１】
2014168452.tif 000003
【図２】
2014168452.tif 000004
【図３】
2014168452.tif 000005
【図４】
2014168452.tif 000006
【図５】
2014168452.tif 000007
【図６】
2014168452.tif 000008
【図７】
2014168452.tif 000009
(57)【要約】      （修正有）【課題】玄米の栄養素をしっかり持ち、さらに、流動食にも可能で甘みのある粒子、安全な玄米麹パウダーを提供する。【解決手段】無農薬で育てた安心な古代米や米を原料として、その玄米を一定の温度で長時間、発酵させることで砂糖ではない甘みを感じることができ、さらに乾燥粉末にすることで、栄養価の高い流動食にもなる。また、粒子が小さいため、クッキーなどに加工することもでき、日本古来の玄米を老人や子供まで味わうことができる。【選択図】図１
2014168456.tif 000002
【特許請求の範囲】
【請求項１】
少なくとも［選択図］図１に示した低温乾燥機もしくは同等の作用のある器具を使用して米麹を一定温度で長時間発酵させ、時間をかけて乾燥させることで糖度のある古代米などを使用した玄米パウダーが特徴である。
【発明の詳細な説明】
【技術分野】
【０００１】  この発明は、玄米麹パウダーに関する。
【発明が解決しようとする課題】
【０００５】  介護の必要な高齢者では、栄養価が高い玄米を食べることが硬いため難しく、また、流動食で栄養を取る必要がある場合に、玄米を与えることが難しい。
また、子供にも玄米は硬いので、好まれにくい。
【課題を解決するための手段】
【０００６】無農薬で育てた安心な古代米や米を原料として、その玄米を一定の温度で長時間、発酵させることで砂糖ではない甘みを感じることができ、さらに乾燥粉末にすることで、栄養価の高い流動食にもなる。
また、粒子が小さいため、クッキーなどに加工することもでき、日本古来の玄米を老人や子供まで味わうことができる。
【図１】
2014168456.tif 000003
【手続補正書】
【提出日】平成25年4月30日(2013.4.30)
【手続補正２】
【補正対象書類名】明細書
【補正対象項目名】全文
【補正方法】変更
【補正の内容】
【発明の詳細な説明】
【技術分野】
【０００１】  この玄米麹パウダーに関する。
【発明が解消しようとする課題】
【０００２】介護の必要な高齢者では、栄養価が高い玄米を食べることが硬いため難しく、また、流動食で栄養を取る必要がある場合に、玄米を与えることが難しい。
また、子供にも玄米は硬いので、好まれにくい。
【０００３】無農薬で育てた安心な古代米や米を原料として、その玄米を一定の温度で長時間、発酵させることで砂糖ではない甘みを感じることができ、さらに乾燥粉末にすることで、栄養価の高い流動食にもなる。
また、粒子が小さいため、クッキーなどに加工することもでき、日本古来の玄米を老人や子供まで味わうことができる。
【図面の簡単な説明】
【０００４】
【図１】米麹を低温乾燥機等で長時間発酵を表す図
(57)【要約】【課題】防犯灯・街路灯の長時間停電におけるバックアップ電源自動切換装置【解決手段】入力機器として設けたコントローラー３・蓄電池４・ソーラーパネル５  出力機器として設けた停電時対応ＬＥＤライト６・既設の防犯灯・街路灯７で構成され商用電源１からの電源供給が災害等で止まった場合コントローラー３により制御し停電時対応ＬＥＤライト６が点灯。既設照明よりも消費電力の少ない本システムに切換ることにより消費電力の削減ができ、バックアップ時間の延長が図れる。商用電源の供給が復旧した後には、コントローラー３により既設の防犯灯・街路灯の照明に瞬時に切換る。【選択図】図１
2014033595.tif 000002
【特許請求の範囲】
【請求項１】
日中ソーラーパネルで発電した電力をバッテリーに蓄電し、夜間は蓄電された電力で点灯するソーラー発電防犯灯及び街路灯に於いて、既設の防犯灯や街路灯が災害等により停電した際のバックアップ電源及び、バックアップ照明として動作するシステム。
【発明の詳細な説明】
【技術分野】
【０００１】本発明は、停電時自動切換装置に関するものである。
【背景技術】
【０００２】従来の防犯灯・街路灯の一部には蓄電池の技術が存在し災害等による停電が起こった場合には復旧することができる。また、防犯灯・街路灯には商用電源が必要としないソーラー防犯灯・街路灯が存在する。ソーラー発電防犯灯・街路灯については一般的にソーラーパネル、コントローラー、蓄電池、ライトで構成されており、夜間はライトを点灯させて暗闇を照らし、防犯の目的で使用される。
【発明が解決しようとする課題】
【０００３】前記の通り一部の防犯灯・街路灯には蓄電池が存在するが、消費電力の問題から長時間に亘るバックアップができない。
【課題を解決する手段】
【０００４】本発明は、ソーラーパネル・コントローラー・蓄電池・停電時対応ＬＥＤライトで構成されており、災害等で商業電源の供給が止まった場合、防犯灯・街路灯に代り、瞬時に本システムの停電時対応ＬＥＤライトに切換る。商用電源の供給が復旧した後には既存の防犯灯・街路灯の照明に瞬時に切換るシステム。
【０００５】本発明の入力機器は、ソーラーパネル・コントローラー・蓄電池で構成され、出力機器は停電時対応ＬＥＤライトの構成になる
【発明の実施と形態】
【０００６】本発明の構造を図１によって説明する。
入力機器として設けた・コントローラー３・蓄電池４・ソーラーパネル５  出力機器として設けた停電時対応ＬＥＤライト６・既設の防犯灯・街路灯７で構成されている。
【実施例】
【０００７】本発明の実施例を図２によって説明する。
商用電源１からの電源供給が災害等で止まった場合コントローラー３により制御し停電時対応ＬＥＤライト８が点灯。【０００８】商用電源１からの電源供給が復旧した際は瞬時にコントローラー３により既設の防犯灯・街路灯７が点灯する。
【発明の効果】
【００９】本発明の防犯灯・街路灯の停電時自動切換装置により既設照明よりも消費電力の少ない本システムの停電時対応ＬＥＤライト６に切換ることにより消費電力の削減ができ、バックアップ時間の延長が図れる。
【図面の簡単な説明】
【００１１】
【図１】本発明の防犯灯・街路灯の停電時自動切換装置の接続を示す平面図
【図２】本発明の実施例を示す平面図
【符号の説明】
【００１２】１．商用電源
２．本体ケース
３．コントローラー
４．蓄電池
５．ソーラーパネル
６．停電時対応ＬＥＤライトの消灯状態を示す
７．既設の防犯灯・街路灯の点灯状態を示す
８．停電時対応ＬＥＤライトの点灯状態を示す
【図１】
2014033595.tif 000003
【図２】
2014033595.tif 000004
(57)【要約】【課題】従来のオムツは足周りにはギャザーがあり漏れにくくなっていますが、乳児の便は液状で量が多かった場合背中やお腹からよく漏れる事があります。それを、更に漏れ難くする。【解決手段】背中やお腹に当たる部分のオムツの端を内側に折り返す事でオムツが吸収しきれなかった排泄物が塞き止められ漏れ難さが更に増します。【選択図】図１
2014033959.tif 000002
【特許請求の範囲】
【請求項１】
背中やお腹に当たる部分のオムツの端を内側に折り返す事でオムツに吸収しきれなかった排泄物が塞き止められ漏れ難さが増します。
更に塞き止めた物が横に流れ出ないように立体ギャザー部分に合わせ背中とお腹に当たる部分のサイドを接着します。
【発明の詳細な説明】
【技術分野】
【０００１】本発明は今までのオムツより背中やお腹からの漏れを防ぐ為のオムツに関する。
【背景技術】
【０００２】従来のオムツは足周りにはギャザーなどの漏れない様な工夫はしてある。
【発明の概要】
【発明が解決しようとする課題】
【０００３】従来のオムツは背中やお腹から漏れやすいので更に漏れにくくする。
【課題を解決するための手段】
【０００４】排泄物が漏れないよう、背中とお腹に当たる端の部分に折り返しを付けそのサイドも接着する。
【発明の効果】
【０００５】折り返す事でストッパーの役目をし、従来のオムツより漏れにくくなる。
【図面の簡単な説明】
【０００６】
【図１】平面図  オムツを広げた内側を書いたもの  図の上側は背中に当たる部分で下側はお腹に当たる部分
【図２】断面図  背中からお腹にかけてのオムツの断面図
【符号の説明】
【０００７】ａ  オムツの端を内側に折り返したもの
ｂ  せき止めた排泄物を横に流さない為に足周りの立体ギャザーに合わせ接着する
ｃ  足周りの立体ギャザー
【図１】
2014033959.tif 000003
【図２】
2014033959.tif 000004
(57)【要約】      （修正有）【課題】階段、斜面地での非介護者、高齢者等を二人係にて移動補助する場合に、左右両側から簡単にかつ安全に行う移送具を提供する。【解決手段】非介護者を二人の介護者で移送するための移送用具であって、非介護者の体重を介護者二人の背中と肩とに分散させるとともに進行方向に概ね正対して進行する事を可能であり、整形した座１、背あて２と座１にとりつけた肩掛けベルト３、抱え帯４、保護帯、背あて調節帯６等を主要部品とした介護用移送具であるが、介護者、非介護者、それぞれの体格にあわせ調節するために肩掛けベルト３の長さを調節するためにバックル７を、肩掛けベルト３と背宛２との結合部分に面ファスナー８、８’にて長さの調節ができるあて調節帯６を備えた、又、座１から非介護者が滑り落ちるのを防ぐために抱え帯を備え、座１の上面にノンスリップシートを使用した。【選択図】図２
2014033958.tif 000002
【特許請求の範囲】
【請求項１】
非介護者を二人の介護者で移送するための移送用具において、座１及び背あて２の左右両側にそれぞれ設けた抱え上げ用の肩掛けベルト３を進行方向右側の介護者は左前方から左肩を経て背中を回して右わき腹の前で、進行方向左側の介護者は右前方から右肩を経て背中を回して左わき腹の前で装着できるようにした移送用具。
【発明の詳細な説明】
【技術分野】
【０００１】  本発明は、病院、老人介護施設、又は、家庭等で肢体不自由者、老人等（以下非介護者と言う）を移動させる場合の介護者の労働の軽減及び移動時の安全確保に関する。
【背景技術】
【０００２】  従来立ち歩きの不自由な非介護者を移動させる場合、抱きかかえるか背負うかして移動させる場合と、体重の重い人等は介護者二人係りで前後、又は左右から抱え上げ移動させる場合や、担架等を使用する事もあるが、家庭や施設等での移動には素手にて非介護者の衣服の腰部分を掴み等して抱え上げ移動させる場合もある、又、ハンモック状の布に非介護者を包み、小型ウインチにて吊り上げ移動させる方法があるが、室内や施設内の一部しか移動できない等、行動範囲に限界がある。
【先行技術文献】
【特許文献】
【０００３】
【特許文献１】  特開２００９−１０１１０１号公報
【特許文献２】  特開２０１１−１４７４８２号公報
【特許文献３】  特開２０１１−２５０９２４号公報
【非特許文献】
【０００４】
【非特許文献１】  「ウエルネット  スリングシート」  介援隊
【発明の概要】
【発明が解決しようとする課題】
【０００５】    「リフト用スリングシート」や、前後２人にて使用する「担架」状の移送用具はあるが、本発明のように座と背あてが有り、肩掛けベルトにて左右両側から抱え移動する用具、器具はない。
【課題を解決するための手段】
【０００６】    本発明では非介護者の体重をベルトにより介護者の肩と背中で保持することによって介護者の負担を軽減し、かつベルトを介護者の非介護者側の肩から背中を廻して装着することにより非介護者の体重を介護者の背中と肩とに分散させるとともに進行方向に概ね正対して進行する事を可能とした。
【発明を実施するための形態】
【０００７】  発明の実施の形態を図面を参照して説明する。
図１は本移送具の主要部品図である、図２は各部品をセットした図である、図３は本移送具を使用している様子であるが図に示すように肩掛けベルト３を右の介護者は左肩から右脇の下へ、左の介護者は右肩から左脇の下へとまわし装着し、肩掛けベルト３の下方先端に設けた座１に非介護者を乗せて移動する。
【実施例】
【０００８】    介護者二人の体格の違いによる肩帯３の長さの調節は座１が水平になるように使用する前に行っておく。【０００９】    ベッド又は椅子等に腰掛けた状態の場合は介護者の一人が非介護者の腰を僅かに上げ、もう一人の介護者が非介護の後部より座部分１を挿入する、非介護者の体格に会わせて調節帯６の長さを面ファスナー８、８’にて調節する。【００１０】  前方に滑り落ちないよう座１の上面は、ノンスリップシート１０を使用することとした、又保護帯１１を装着することにより、非介護者が前方に倒れこむ危険を防止するとともに、座１及び背あて２に対する非介護者の座位置を確定することができる。
１
【発明の効果】
【００１１】    本移送具は介護者がほぼ正面を向いて歩行できるので障害物につまずく等の心配が少ない。
【００１２】  本移送具の構造は消防のレスキュー隊等で行われている組手移送の要領と、ピアノ等重量物搬送に用いるベルトからヒントを得て製作したものであり、非介護者の体重が介護者の肩のみに集まることがなく、背中の方にも分散されるので、重量感が和らいだ。
【００１３】    移送中、介護者は両手が空くので、進行先の障害物を排除することができる、また両手にて非介護者を保護することもできるので、非介護者に安心感をあたえる。
【図面の簡単な説明】
【００１４】
【図１】  介護用移送具の主要部品である。
【図２】  介護用移送具の概要図である。
【図３】  介護用移送具を用いて非介護者を抱え上げた状態である。二人掛りにて移動するところから「ほいさっさ」と名付けた。
【符号の説明】
【００１５】  １  ：座
２  ：背あて
３  ：肩掛けベルト
４  ：肩掛けベルト下
５  ：抱え帯
６  ：背あて調節帯
７  ：バックル雄
７’：バックル雌
８  ：面ファスナー雌
８’：面ファスナー雄
９  ：肩宛
１０  ：ノンスリップシート
１１  ：保護帯
１２  ：長さ調節用面ファスナー雄
１２’：長さ調節用面ファスナー雌
【図１】
2014033958.tif 000003
【図２】
2014033958.tif 000004
【図３】
2014033958.tif 000005
(57)【要約】【課題】従来は、加熱空気による乾燥であるため、茶葉の高温部も低温部も同様な熱エネルギーを受け、乾燥具合が不均一となりやすく、熱風温度、風量、揉み手バネ圧、主軸回転数等、細心の注意が必要となる。そして、細かい設定が必要となるため、オペレータのスキルが茶製品の品質に大きな影響を与える。【解決手段】製茶揉乾機の揉乾胴に、熱風の供給手段と、過熱蒸気の供給手段とを設け、熱風と過熱蒸気の両方を供給して、茶葉を乾燥する製茶揉乾機。【選択図】図１
2014033651.tif 000002
【特許請求の範囲】
【請求項１】
製茶揉乾機の揉乾胴に、熱風の供給手段と、過熱蒸気の供給手段とを設け、熱風と過熱蒸気の両方を供給して、茶葉を乾燥することを特徴とする製茶揉乾機。
【請求項２】
製茶揉乾機は、製茶粗揉機であることを特徴とする請求項１記載の製茶揉乾機。
【請求項３】
製茶揉乾機の揉乾胴内に、熱風と過熱蒸気の両方を供給して、茶葉を乾燥することを特徴とする製茶方法。
【発明の詳細な説明】
【技術分野】
【０００１】
本発明は、茶葉を揉み込みながら乾燥する製茶揉乾機と製茶方法に関するものである。
【背景技術】
【０００２】
製茶揉乾機は、製茶葉打機、製茶粗揉機、製茶中揉機などがあり、通常は、熱風（加熱した空気）を供給し、葉ざらい手で茶葉を撹拌し、揉み手で茶葉を揉み込みながら、恒率乾燥して、製茶を行なっていた。
【先行技術文献】
【特許文献】
【０００３】
【非特許文献１】新茶業全書第８版３１７〜３２０、３２２〜３２３ページ
【発明の概要】
【発明が解決しようとする課題】
【０００４】
従来は、加熱空気による乾燥であるため、茶葉の高温部も低温部も同様な熱エネルギーを受け、乾燥具合が不均一となりやすく、熱風温度、風量、揉み手バネ圧、主軸回転数等、細心の注意が必要となる。そして、細かい設定が必要となるため、オペレータのスキルが茶製品の品質に大きな影響を与える。
【課題を解決するための手段】
【０００５】
本発明の第１手段は、製茶揉乾機の揉乾胴に、熱風の供給手段と、過熱蒸気の供給手段とを設け、熱風と過熱蒸気の両方を供給して、茶葉を乾燥する製茶揉乾機。本発明の第２手段は、第１手段の製茶揉乾機は、製茶粗揉機である。本発明の第３手段は、製茶揉乾機の揉乾胴内に、熱風と過熱蒸気の両方を供給して、茶葉を乾燥する製茶方法。
【発明の効果】
【０００６】
過熱蒸気は、加熱空気と比較して、約４倍の熱量を持っているので、従来と比べて短時間で乾燥することが出来、ランニングコストを削減できる。過熱蒸気のみでは乾燥が進みすぎてしまうが、従来の加熱空気と混合させることで、乾燥度合いを調整することができる。また、過熱蒸気が茶葉に接触すると、茶葉に高温水が凝縮するため、昇温速度が速く、上乾きを防止できる。そして、低温部に優先的に凝縮する特性があるため、乾燥ムラを抑制することができる。これらのことにより、上乾きや乾燥ムラを防止するための細かい設定は不要となり、オペレータの負担が減る。よって、茶製品の品質が向上する。
【図面の簡単な説明】
【０００７】
【図１】図１は製茶揉乾機の側面断面図である。
【図２】図２は製茶揉乾機の正面図である。
【発明を実施するための形態】
【０００８】
製茶揉乾機の一例として、製茶粗揉機１を説明する。製茶粗揉機１は、揉乾胴２内に茶葉を上部から搬送装置(図示しない)により投入し、回転軸３に取り付けられた揉手４と葉ざらい手５により茶葉を撹拌しながら揉み込む。揉乾胴２の上部は一部を投入口とし、その他は自然排気とするために開放（または金網を貼り付け）してある。揉乾胴２の背面の一部は熱風吹込み口７となっており、熱風発生器６にて加熱された空気を揉乾胴２へ送っている。この熱風は、設定によるが、６０〜１００度である。本実施例では、熱風発生器６は製茶粗揉機２と略一体となっているが、別に設けても良い。
【０００９】
揉乾胴２には、過熱蒸気供給管２６と、過熱蒸気吹込み口２８を設け、過熱蒸気発生器２１で発生させた過熱蒸気を揉乾胴２内へ送り込む。この過熱蒸気は１５０〜４００度であり、過熱蒸気供給管２６は製茶粗揉機１の巾とほぼ同一とし、直径３〜１５ｍｍの開孔（過熱蒸気吹込み口２８）を５０〜３００ｍｍピッチで設けている。ただし、過熱蒸気の供給方法は、この限りではない。製茶粗揉機１の場合、約１５０％Ｄ．Ｂ．の茶葉を投入し、茶葉が６０％Ｄ．Ｂ．くらいになったら、茶葉を取り出す。この時は、揉乾胴２の底面の一部を開放し、取出コンベヤ１１条へ茶葉を取出し、バケットコンベヤ１２で次の製茶装置（図示しない）へ搬送される。
【００１０】
本実施例では、製茶粗揉機２について説明したが、その他の製茶揉乾機、例えば、製茶葉打機や製茶中揉機などでも同様である。
【符号の説明】
【００１１】
１    製茶粗揉機
２    揉乾胴
３    回転軸
４    揉手
５    葉ざらい手
６    熱風発生器
７    熱風吹込み口
９    機枠
１０    駆動部
１１    取出コンベヤ
１２    バケットコンベヤ
２１    過熱蒸気発生器
２２    ボイラ
２３    蒸気供給管
２４    バルブ
２５    加熱装置
２６    過熱蒸気供給管
２７    バルブ
２８    過熱蒸気吹込み口
【図１】
2014033651.tif 000003
【図２】
2014033651.tif 000004
(57)【要約】【課題】狭い隙間にも使用でき、ゴキブリの死骸をトイレに流すことを可能とする。【解決手段】本体を細い筒状にし、伸縮させることにより、隙間への使用が可能になる。また、ゴキブリの死骸を捕獲する用具を水溶性の物質で作ることにより、死骸ごとトイレに流すことができる。【選択図】図１
2014033672.tif 000002
【特許請求の範囲】
【請求項１】
ゴキブリの死骸を、細い棒状の持ち手の先端に装着した、水溶性の粘着テープを付けた水溶性の紙からなる筒状の用具で捕獲し、その先端部分だけをトイレに流し捨てることを特徴としたゴキブリ死骸処理具。
【請求項２】
筒状の本体と棒状の持ち手により伸縮させる事ができる事により、隙間や奥にも使用可能で、死骸に近づかず処理ができるゴキブリ死骸処理具。
【発明の詳細な説明】
【技術分野】
【０００１】  この発明は、ゴキブリの死骸を捕獲し、トイレに流すことができる形態に関する。
【背景技術】
【０００２】  従来の技術は、平面的で幅が広く、家具などの隙間には不向きであったり、嵩張っていたりした。（特許文献１、２参照。）
他には着脱式で先端にビニール袋を取り付ける物があるが、ビニール袋をゴキブリに被せる際に、ゴキブリそのものに近づかなければならず、触角などに触れてしまう恐れがあった。また、上記の物はいずれも捕獲後ゴミ箱へ捨てるので、死骸が一定期間家の中で保管されている状況になるため、集合フェロモンにより他の仲間を呼び寄せたり、卵が孵ってしまったりなど、二次的被害に繋がる恐れがあった。
【先行技術文献】
【０００３】
【特許文献１】特開平１１−１５５４５９号公報
【０００４】
【特許文献２】特開平１０−８４８３６号公報
【発明の概要】
【発明が解決しようとする課題】
【０００５】  棚の奥や冷蔵庫と壁の隙間などにも使用できる形態にすることと、先端部分だけを使い捨てにし安価にすること、また、ゴミ箱に捨てるなどの家の中での保管期間をなくすこと、ゴキブリに近づくことなく容易に捕獲、処理ができることを課題とした。
【課題を解決するための手段】
【０００６】  そこでこの発明は、棚の奥や冷蔵庫の裏などの隙間にも入るよう取っ手部分を細い筒状にし、ストッパーにより伸縮させることができるようにした。そして先端に取り付ける部分に水溶性の紙と、水溶性の粘着テープを用い、死骸を捕獲したらそのままトイレへ流すことができるようにした。
【発明の効果】
【０００７】  本発明によれば、殺虫剤などにより死滅したゴキブリの死骸を近づくことなく捕獲でき、またトイレに流すことによって家の中に死骸がある不快感から逃れられ、二次的被害も避けられる。持ち手は繰り返し使え、先端部分のみが使い捨てになるため、安価で購入しやすい。
【図面の簡単な説明】
【０００８】
【図１】  この発明の一実施形態を示す斜視図である。
【図２】  この発明の実態の形態である使い捨て処理具の取っ手を最長にした状態での使用形態を示す斜視図である。
【図３】  この発明の実態の形態である使い捨て処理具の取っ手を最長にした状態の取っ手止まり位置部分の拡大断面図である。
【図４】  この発明の実態の形態である使い捨て処理具の使い捨て用具部分をトイレに流す使用形態を示す斜視図である。
【発明を実施するための形態】
【０００９】  本発明に係る一実施形態について、図１を参照して説明する。
本体３は直径１〜３ｃｍ程度。取っ手１を引っ張ることにより長さを変える事が出来る。
その最長部分は内側ストッパー４で止め、取っ手１が抜けないようにする。
本体３の先端には、使い捨て用具５を装着する。この使い捨て用具５は水溶性の紙からなり、先端６に水溶性の粘着テープを付着している。ゴキブリの死骸を粘着テープで捕獲し、取っ手を押すことにより先端をトイレに落とし、流すことができる。取っ手は押しすぎないよう、外側ストッパー２を付ける。
【００１０】  次に図２および図４を用いて、本発明の死骸捕獲方法ならびに処理方法を説明する。
まず、使い捨て用具５の先端６の粘着テープの紙を剥がし、本体３に装着する。一例として最長にして使用する場合には、図２のように取っ手１を内側ストッパー４で止まるまで引っ張り先端６の粘着部分でゴキブリの死骸を捕獲。次に図４ように取っ手１を外側ストッパー２で止まるまで押し、トイレの便器に捨て、流す。
【００１１】  なお、本発明による処理具は本体１と取っ手３に外装を施すことにより、室内において違和感なくインテリアとして設置することも可能である。
【符号の説明】
【００１２】１  取っ手
２  外側ストッパー
３  本体
４  内側ストッパー
５  使い捨て用具
６  先端
【図１】
2014033672.tif 000003
【図２】
2014033672.tif 000004
【図３】
2014033672.tif 000005
【図４】
2014033672.tif 000006
(57)【要約】      （修正有）【課題】建築物等のコンクリート面に新たな表情を生み出す事が出来るゴム素材でシート状のスタンプを提供する。【解決手段】建築物等のコンクリート打設前の型枠にゴム素材でシート状のスタンプを張り込む。スタンプは軽量でシート状であることから、現場への運搬、現場での加工が容易である。同時に様々な模様のスタンプを用意しておく事によって、組み合わせによって、多種のデザインが構成出来る。【選択図】図１
2014070485.tif 000002
【特許請求の範囲】
【請求項１】
建築のコンクリート打設の際に、型枠材に貼り込むゴム素材でシート状のスタンプ
【請求項２】
請求項１のスタンプは、木目、石目等の多種デザインから選択出来る。
【発明の詳細な説明】
【技術分野】
【０００１】  本発明は、建築のコンクリート打設の際に、型枠材に予め張り込むゴム素材でシート状のスタンプであり、脱型後のコンクリートに模様を転写させるスタンプに関するものである。
【背景技術】
【０００２】  従来、建築用のコンクリートに模様を転写させるスタンプは予め型枠材に張り込むシート状のものはなく、コンクリート或いはモルタルを打設した後に押し付けるものしかなかった。化粧型枠と呼ばれる型枠材自体に細工を施したものは現場での加工が難しく、高額であり一般的には利用されていない。
【発明の開示】
【発明が解決しようとする課題】
【０００３】  建築物等のコンクリートの表面を、容易に、自由にデザインされた模様を施す事が難しく、打ち放しにするか打設後にタイル貼りにするかが一般的だった。
本発明は以上の問題点を解決し、建築物等のコンクリート面に新たな表情を生み出す。
【課題を解決するための手段】
【０００４】  建築物等のコンクリート打設前の型枠にゴム状でシート状のスタンプを張り込む。そのスタンプは軽量でシート状であることから、現場への運搬、現場での加工が容易である。同時に様々な模様のスタンプを用意しておく事によって、組み合わせによって、多種のデザインが構成出来る。
本発明は、以上の構成よりなる建築物等のコンクリート面に容易に、自由にデザインされた模様を施す事が出来る、ゴム素材でシート状のスタンプである。
【発明の効果】
【０００５】  建築物等のコンクリート面に、容易に自由なデザイン模様を低コストで施す事が出来る。
【発明を実施するための最良の形態】
【０００６】  以下、本発明の実施の形態を説明する。
（イ）工場にて、デザイン模様の入ったゴム素材でシート状のスタンプを製作する。
（ロ）建築現場にて、必要な大きさにカットし、型枠材に張り込む。
（ハ）コンクリートを打設し、コンクリート養上期間をおいた後、型枠脱型時にスタンプも剥ぎ取る。
（ニ）スタンプの模様が建築等におけるコンクリート面に転写される。
【図面の簡単な説明】
【０００７】
【図１】ロール状に巻かれたゴム素材でシート状のスタンプ
【図２】建築現場にて型枠材（建築用合板材等）の大きさに合わせてカット
【図１】
2014070485.tif 000003
【図２】
2014070485.tif 000004